(57)【特許請求の範囲】
【請求項１】
容器部（２）とヒンジ線を中心にこの容器部（２）にヒンジ式に連結された蓋（３）とを含み、容器部（２）は、内方フレーム（１９）および外方フレーム（１８）を有し、蓋は、端部（１５）と、この端部（１５）から延び、蓋を閉じた際に容器部（２）の第１および第２容器壁（６、８）と重なる第１および第２蓋壁（１２、１４）とを含み、第１容器壁（６）は、係止エレメント（２７）を有し、この係止エレメントは、蓋を閉じた際に第１蓋壁（１２）にある対応する係止部（３５）上に位置し、凹部（２４）が内方フレーム（１９）に形成され、この凹部（２４）は内方フレーム（１９）の上縁部（２０）から第１および第２容器壁（６、８）内に延び、凹部（２４）の下方縁部（２５）は、係止エレメント（２７）より内方フレーム（１９）の上縁部（２０）から離れて位置している喫煙品用パッケージ。
【請求項２】
前記係止エレメントは、第１容器壁（６）に対して折り曲げ線（２８、２８ａ、４５）を中心に枢動可能であり、折り曲げ線は、ヒンジ線（５）から離れてこれと平行に延びていることを特徴とする請求項１に記載のパッケージ。
【請求項３】
内方フレーム（１９）が、外方フレーム（１８）の上端（１６）から起立していることを特徴とする請求項１または２に記載のパッケージ。
【請求項４】
凹部（２４）の下方縁部（２５）が、外方フレーム（１８）の上端（１６）から離れて位置していることを特徴とする請求項３に記載のパッケージ。
【発明の詳細な説明】
【技術分野】
【０００１】
本発明は、喫煙品用パッケージに関する。特に本発明は、ヒンジ式蓋付き喫煙品用パッケージに関するが、これに限定されるものではない。
【背景技術】
【０００２】
ヒンジ式蓋付きパッケージは、当業者にはよく知られており、紙巻きタバコが押しつぶされないように保持するためにタバコ業界では広く用いられている。ヒンジ式蓋付きパッケージの一例が下記特許文献１に示されており、このようなパッケージは、一般的には１０から２０本の紙巻きタバコを所定の配置に保持する。ヒンジ式蓋付きパッケージは、通常、１組の板紙ブランクから作製される。
【０００３】
しかしながら、このような従来のパッケージには、最初にパッケージを開封した後に蓋を閉じるとうまく閉まった状態にならず、蓋がある程度開いた状態になるという問題がある。この問題は、「あくび（ｙａｗｎｉｎｇ）」または「笑い（ｓｍｉｌｉｎｇ）」と言われる場合がある。さらにパッケージを閉じた際に逆さまに持つと、蓋がパッケージの中に入っている喫煙品の重さで、開いてしまうことがあり、喫煙品がパッケージから落ちてしまう場合がある。従って確実にパッケージを閉じた状態に維持するために蓋が開きにくくなっている改良されたヒンジ式蓋付きパッケージを提供することが望まれている。
【０００４】
上述の問題を解決しようとするためにパッケージの容器部から延び、蓋の内面に形成された対応する肩部とかみ合うフラップを有するヒンジ式蓋付きパッケージが知られている。このようなパッケージは、蓋が閉じた位置にあることを触覚によって表している。しかしながら、このようなパッケージには蓋の壁が容器の壁と重ならなければならず、そうしないとフラップが肩部と係合せず、蓋を「係止」しなくなるという不利な点がある。従って、容器壁は、容器内の喫煙品の上端まで延びているので、容器内に配された喫煙品に触れにくくし、喫煙品が掴みにくくなり、パッケージから喫煙品を取り出しにくくなる。
【０００５】
封止ラベルを有するバリアー層によって形成された喫煙品を包むための包装体を利用して、包装体の開口部を封止するものが知られている。このような封止ラベルは、ユーザーが掴んで、封止ラベルを引っ張って、開口部を露出させるためのタブを有する。しかしながら、ユーザーがタブを掴んでカバーを操作しにくいという問題があることが知られている。
【発明の開示】
【発明が解決しようとする課題】
【０００６】
本発明のいくつかの実施態様では上述のパッケージの問題点を克服する、または実質的に軽減する喫煙品用パッケージを提供することを目的としている。
【課題を解決するための手段】
【０００７】
本発明の実施態様では、容器部とこれにヒンジ線を中心にヒンジ式に連結された蓋とを含む喫煙品用パッケージを提供し、容器部は、内方フレームおよび外方フレームを有し、蓋は、端部と、この端部から延び、蓋を閉じた際に容器部の容器壁と重なる壁とを含み、この容器壁は、対応する蓋の壁にある係止部上に位置する係止エレメントおよび内方フレームに形成され、内方フレームの上縁部から延びた凹部を有し、凹部の下方縁部は、係止エレメントより容器壁の上縁部から離れて位置している。
【０００８】
凹部の下方縁部が係止エレメントより容器壁の上縁部から離れて位置することの利点は、容器部に配された喫煙品が取り出しやすくなるということである。
【０００９】
容器壁は、外方フレームの一部であってもよい。
【００１０】
容器壁は、内方フレームの一部であってもよい。
【００１１】
凹部は、容器壁に形成してもよい。
【００１２】
容器壁は、第１容器壁であってもよく、内方フレームは、第１容器壁から延びた第２容器壁をさらに含んでもよく、凹部は、第２容器壁に形成してもよい。
【００１３】
係止エレメントは、容器壁に対して折り曲げ線を中心に枢動可能であってもよく、折り曲げ線は、ヒンジ線から離れてこれと平行に延びている。係止エレメントは、容器壁の１つの面から延びたフラップであってもよい。
【００１４】
フラップは、容器壁の上縁部から延びてもよい。
【００１５】
フラップは、容器壁に形成してもよく、上縁部から離れて位置してもよい。
【００１６】
内方フレームは、外方フレームの上端から起立してもよい。
【００１７】
凹部の下方縁部は、外方フレームの上端から離れて位置してもよい。
【００１８】
上記蓋壁は、蓋が回転する際の軸に平行に延びている面に位置する前壁であってもよく、上記容器壁は、前壁であってもよい。
【００１９】
上記容器壁は、第１容器壁であってもよく、容器部は、第１容器壁から延びた第２容器壁をさらに含んでもよく、凹部は、第２容器壁内に延びてもよい。
【００２０】
第１壁の上縁部は、第２壁の上縁部の下に配されてもよい。
【００２１】
凹部は、第１凹部であってもよく、上記容器壁は、第２凹部を含んでもよく、係止エレメントは、第１および第２凹部の間に配されてもよい。
【００２２】
係止部は、段であってもよく、この段は、蓋が閉じた位置に移動した際にフラップが位置する縁部を有する。
【００２３】
フラップまたは段の一方が第１縁部および第２縁部を有してもよく、第１縁部は、蓋が閉じた位置に移動した際に、第２縁部がフラップまたは段上に位置する前に第１縁部がフラップまたは段上に位置するように第２縁部からオフセットしてもよい。
【００２４】
本発明別の実施態様では、容器部と容器部にヒンジ式に連結された蓋とを含む喫煙品用パッケージが提供され、蓋は、端部と、この端部から延び、蓋を閉じた際に容器部の第１および第２容器壁と重なる第１および第２壁とを含み、第１容器壁は、第１容器壁の上縁部から延び、第１容器壁に形成された凹部を有し、この凹部は、第２容器壁内に延びている。
【００２５】
第１容器壁は、第１蓋壁の対応する係止部上に位置する係止エレメントをさらに含んでもよい。
【００２６】
第２容器壁内に延びた凹部の利点は、容器部に配された喫煙品が取り出しやすくなるということである。
【００２７】
凹部の下方縁部は、係止エレメントより第１容器壁の上縁部から離れて位置してもよい。
【００２８】
第１蓋壁は、蓋が回転する際の軸に平行に延びている面に位置する前壁であってもよく、第１容器壁は、前壁であってもよい。
【００２９】
容器部は、外方フレームおよび内方フレームを有してもよく、内方フレームは、内方フレームの上端から起立してもよく、凹部は、内方フレームに形成してもよい。
【００３０】
凹部の下方縁部は、外方フレームの上端から離れて位置してもよい。
【００３１】
本発明の別の実施態様では、容器部と、容器部にヒンジ式に連結された蓋と喫煙品を包装するための包装体であり、その実際のまたは潜在的な取り出し口の封止ラベルを有する包装体とを含む喫煙品用パッケージが提供され、蓋は、端部と、この端部から延び、蓋を閉じた際に容器部の容器壁と重なる壁とを含み、この容器壁は、対応する蓋の壁にある係止部上に位置する係止エレメントを有し、封止ラベルは、これが閉じた位置にあるときに係止エレメントに接して位置する封止ラベルの下方縁部から延びたタブを有する。
【００３２】
閉じた位置にあるときに係止エレメントに接して位置する封止ラベルのタブの利点は、タブを掴みやすくするということである。
【００３３】
封止ラベルは、これが再封止できるように包装体の対応するセクションに接着するための接着剤を含んでもよい。
【００３４】
係止エレメントは、フラップであってもよい。
【００３５】
フラップは、容器壁の縁部から延びてもよい。
【００３６】
凹部は、容器壁に形成してもよく、フラップは、凹部の下方縁部から延びてもよい。
【００３７】
フラップは、封止ラベルが閉じた位置にあるときにタブの自由縁部を越えて延びる自由端部を有してもよい。
【００３８】
フラップは、タブが容器壁から離れるように付勢されるように弾性変形可能であってもよい。
【００３９】
タブの自由端部は、封止ラベルが閉じた位置にあるときにフラップの自由端部と容器壁の上縁部との間に配置されてもよい。
【００４０】
本発明の実施態様では喫煙品を含むパッケージも提供される。
【００４１】
本発明の実施態様を添付図面を参照して、あくまで例示を目的として説明する。
【図面の簡単な説明】
【００４２】
【図１】本発明の実施態様による喫煙品用パッケージの斜視図である。
【図２】図１に示した喫煙品用パッケージの内方フレームを形成するために使用されるブランクの平面図である。
【図３】本発明の別の実施態様による喫煙品用パッケージの斜視図である。
【図４】本発明の別の実施態様による喫煙品用パッケージの斜視図である。
【図５】図４に示した喫煙品用パッケージ内方フレームを形成するために使用されるブランクの平面図である。
【図６】本発明の別の実施態様による喫煙品用パッケージの斜視図である。
【図７】図６に示した喫煙品用パッケージの内方フレームを形成するために使用されるブランクの平面図である。
【図８】本発明のさらに別の実施態様による喫煙品用パッケージの斜視図である。
【図９】蓋が開いた状態の図８に示した喫煙品用パッケージの斜視図である。
【図１０】本発明の別の実施態様による喫煙品用パッケージの斜視図である。
【図１１】本発明のさらに別の実施態様による喫煙品用パッケージの斜視図である。
【図１２】図１１に示した喫煙品用パッケージの下からの斜視図である。
【発明を実施するための形態】
【００４３】
図面を参照すると、パックとしても知られている喫煙品用パッケージ１の実施態様が図１に示されており、これは容器部２と蓋３とを含む。
【００４４】
本明細書中で使用する「喫煙品」なる用語は、タバコ、タバコ派生物、膨張タバコ、再生タバコまたはタバコ代替え品タバコをベースにしているかに関係なく紙巻きタバコ、シガーおよびシガリロなどの喫煙可能な製品および発熱するが燃焼しない製品を包含するが、これらに限定されるものではない。喫煙品には喫煙者によって吸引される気体流用のフィルターを設けてもよい。
【００４５】
容器部２は、喫煙品（図示せず）が収容される喫煙品収容スペース４を形成し、蓋３がヒンジ線５に沿って容器部２にヒンジ式に取り付けられており、これによりパッケージ１を開閉できるようになっている。当然のことながら喫煙品収容スペース４の喫煙品は、蓋３が開いた位置にあるときに（図１に示すように）取り出すことができ、蓋３が閉じた位置にあるときに喫煙品は、喫煙品収容スペース４内に保持される。
【００４６】
容器部２は、平行に互いに離れて配置された容器前壁６、後壁７および平行に互いに離れて配置され、容器前壁６、後壁７の間を延びる２つの対向する側壁８を含む。閉じた端部９が容器の前壁、後壁および側壁６、７、８の下方から延び、容器部２の頂部が閉じた端部９と反対に位置し、蓋３が閉じた位置にあるときに蓋３によって覆われる。蓋３が容器部２にヒンジ式に取り付けられる際のヒンジ線５が容器の後壁７の上端部に沿って形成されている。
【００４７】
蓋３は、平行に互いに離れて配置された蓋の前壁１２および後壁１３および平行に互いに離れて配置され、前壁１２、後壁１３の間を延びる２つの対向する側壁１４を含む。蓋３の端部１５は、蓋の前壁、後壁および側壁１２、１３、１４の上端の間を延び、蓋３の上端を閉じている。
【００４８】
蓋３が閉じた位置にあるとき、蓋の前壁１２は、容器の前壁６と重なり、当接し、２つの対向する蓋の側壁１４は、それぞれ２つの対向する容器の側壁８と重なり、当接する。蓋の後壁１３は、容器の後壁７と位置合わせされ、ヒンジ線５によってこれに取り付けられ、蓋の端部１５は、容器の閉じた端部９の反対に位置する。
【００４９】
容器の前壁６は、内方前壁６ａおよび外方前壁６ｂを含む。同様に容器の２つの側壁８は、対応する内方側壁８ａおよび外方側壁８ｂを含む。内方前壁６ａは、対応する外方前壁６ｂおよび２つの外方側壁８ｂの上端からこれらと平行に延びている。同様に２つの内方側壁８ａは、対応する外方側壁８ｂの上端１７からこれらと平行に延びている。蓋２が閉じた位置にあるとき、蓋の前壁１２は、実質的に容器の前壁６の内方前壁６ａに隣接して位置し、これらと重なり、蓋の２つの側壁１４は、対応する容器の側壁８の内方側壁８ａと隣接して位置し、これらと重なる。
【００５０】
図１において、蓋３は開いた状態で示されている。この実施態様ではパッケージ１は、外方フレーム１８および内方フレーム１９を有する。外方フレーム１８は、蓋３および容器２の一部を含み、内方フレーム１９は、容器２の一部を形成する。内方フレーム１９のブランクを図２に示す。図２において、実線は、切断線を表し、薄線は、折り曲げ線を表す。内方フレーム１９は、容器の前壁６の内方壁６ａおよび内方側壁８ａを形成する。蓋３は、従って蓋が閉じた位置にあるときに内方フレーム１９に亘って滑り嵌めされる。
【００５１】
容器２と蓋３は、ヒンジ式蓋付きパッケージがその形状を維持し、喫煙品収容スペース４の収容物が保護されるように硬質弾性材で形成される。
【００５２】
容器の前壁６は、容器の内方前壁６ａによって形成され、容器の外方前壁６ｂの上端１６から離れて位置する上縁部２０を有する。同様に容器の側壁８は、容器の内方側壁８ａによって形成され、容器の外方前壁８ｂの上端１７から離れて位置する上縁部２２を有する。図１に示した実施態様では切り欠き２３が外方前壁６ａに形成され、前壁の上縁部２０の１つのセクションが側壁の上縁部２２より下に位置するようになっている。
【００５３】
凹部２４が容器の前壁６に形成されている。凹部２４は、前壁６の上縁部２０から容器部２の内方前壁６ａに延びている。凹部２４は、下方縁部２５と、前壁６の上縁部２０と凹部の下方縁部２５の間を延びている側縁部２６とを有する。凹部２４の下方縁部２５は、前壁６の上縁部２０から離れてこれと平行に延びており、側縁部２６は、下方縁部２５に対して横方向に延びている。
【００５４】
凹部２４の下方縁部２５は、外方前壁６ｂの上端１６から離れて位置し、蓋が閉じた位置にあるとき、蓋３の前壁１２が容器の前壁６とその全幅に沿って重なり、喫煙品収容スペース４とパッケージの外側との間に隙間ができないようになっている。
【００５５】
係止エレメントとして機能するフラップ２７が容器部２の内方前壁６ａに形成されている。フラップ２７は、内方前壁６ａに形成された切断線によって形成され、折り曲げ線２８を中心に折り曲げ可能である。フラップ２７は、内方前壁６ａの面２９から外方にかつ下方に延びている。この実施態様ではフラップ２７は、容器の前壁６の上縁部２０から離れて位置している。
【００５６】
フラップ２７の自由端部３０は、自由縁部３２を有し、折り曲げ線２８から離れて位置し、硬質な弾性材料から形成され、変形可能である。
【００５７】
従ってフラップ２７は、内方前壁６ａの方に弾性変形可能である。フラップ２７は、容器の内方前壁６ａの上縁部２０と容器の外方前壁６ｂの上端１６との間に配置されている。さらにフラップ２７は、内方前壁６ａの面２９から容器の内方前壁６ａの上縁部２０と凹部２４の下方縁部２５との間を延びるように形成されている。従って、フラップ２７は、凹部２４の下方縁部２５より容器の内方前壁６ａの上縁部に近く配されている。またフラップ２７は、凹部２４の側縁部２６から離れて位置している。
【００５８】
またこのヒンジ式蓋付きパッケージは、容器３の内方側壁８ａから横方向外方に延びる一組の耳部３４を含む。各耳部３４は、容器部２の内方前壁６ａからこれと平行にかつ容器の側壁８から垂直に延びている。各耳部３４は、内方側壁８ａに形成された切断線によって形成されている。容器の前壁６のみに凹部２４が形成されていることの利点は、耳部３４を容器の側壁８から延びるように配置して、蓋を閉じた位置に保持しやすくすることができるということである。
【００５９】
係止部として機能する段３５が、蓋３の前壁１２の内面３６に形成されている。段３５は、蓋の前壁１２の内面３６を上位部分３７と下位部分３８とに分割している。蓋３の前壁１２は、外層３９方および内層４０から形成され、これらの層は、段３５の縁部４２を形成する内層４０の縁部によって分かれている。外層３９および内層４０は、互いに接着剤によって接着されている。
【００６０】
フラップ２７は、容器の前壁６から延びるように構成され、蓋３が閉じる位置に移動する際にフラップは、蓋の前壁１２の内面３６の段３５と位置合わせされ、この段の上に位置するようになっている。係止エレメントとして機能するフラップ２７と係止部として機能する段３５は、ともに蓋３を閉じた位置に保持する係止機構を形成する。
【００６１】
上記実施態様によるヒンジ式蓋付きパッケージの操作を図１および２を参照して説明する。ヒンジ式蓋付きパッケージ１が上述したように組み立てられると、喫煙品（図示せず）がパッケージの喫煙品収容スペース４内に配置される。蓋３は、容器部２を開閉するためにヒンジ式に回転可能であり、蓋３が開いた位置にあるときにユーザーは喫煙品（図示せず）を取り出すことができ、蓋３が閉じた位置にあるとき、喫煙品は、パッケージ内に保持される。
【００６２】
蓋３が開いた位置にあるとき（図１に示すように）、喫煙品収容スペース４に触れることができる。従って、喫煙品を容器３から取り出すことができる。凹部２４が、パッケージの前部に沿って開口部を形成し、これによりパッケージの上部に設けられた開口部から紙巻きタバコを掴む必要が無く、ユーザーは、簡単に喫煙品を掴み、パッケージから喫煙品を取り出すことができる。さらに上述の実施態様により、パッケージの前壁に係止エレメントを位置させることが可能になり、蓋が凹部の長さを短くすることなく係止エレメントと重なり、確実に蓋が係止エレメントと重なるようになっている。
【００６３】
蓋３をその開いた位置から閉じる位置へと回転させると、蓋の前壁１２と側壁１４がそれぞれ容器の前壁６と側壁８と重なる。最初フラップ２７は、容器の前壁６の面２９に対して鋭角に延びている。蓋３がその閉じる位置に回転すると、フラップ２７の自由縁部３２が蓋の前壁１２の内面３６と接触するようになっている。フラップ２７は、フラップ２７および／または容器部２の前壁６の弾性により内面３６によって付勢される。フラップ２７の自由縁部３２は、最初、上位部分３７と接触し、蓋２が閉じられる際に自由縁部３２が段３５上に位置するまで上位部分に沿ってスライドする。フラップ２７は、弾性によって下位部分３８の方へと付勢され、衝突し、フラップ２７が下位部分３８の方へと弾性変形し、これと接触すると可聴クリック音が発せられる。従って蓋を閉じた際にユーザーに音でフィードバックされる。
【００６４】
蓋３はその後その閉じた位置にある。蓋３は、段３５に係合するフラップ２７の自由縁部３２によってその閉じた位置に保持される。従ってフラップ２７は、蓋とかみ合い、蓋は、段３５と当接するフラップ２７によってその開いた位置へと回転するのを妨げられる。
【００６５】
回転力が蓋３に加えられると、蓋３が閉じた位置から開いた位置へと移動し、これにより閉鎖されていた喫煙品用スペース１２に触れることが可能になる。蓋３を回転するように付勢させると、段３５がフラップ２７に作用し、これをその折り曲げ線２８を中心に回転するように付勢する。蓋の前壁１２、容器の前壁６および／またはフラップ２７は、弾性変形可能であり、これによりフラップ２７が回転し、蓋３もその開いた位置へと回転することができる。
【００６６】
図３に示した別の実施態様では、フラップが前壁に折り曲げ線の上に形成されているが、下方に延びるように折り曲げられている。喫煙品パッケージのこの構成は、上述の実施態様で説明した構成とほぼ同じであり、さらなる詳細な説明は、ここでは省略する。さらに、上述の実施態様で説明した部材および特徴に対応する部材および特徴には同じ参照番号を付してある。
【００６７】
係止エレメントとして機能するフラップ２７は、容器部２の内方前壁６ａに形成されている。フラップ２７は、内方前壁６ａに形成された切り込み線３１によって形成され、折り曲げ線２８ａを中心に折り曲げ可能である。フラップ２７は、容器の前壁６上に折り曲げられ、容器の前壁６の面２９上で下方に延びている。この構成の利点は、フラップが前壁６から離れるように外方に付勢され、容器の前壁６の面２９から鋭角に延びているということである。またフラップの弾性によって、フラップ２７が蓋の前壁１２に形成された段３５上に確実に位置するという別の利点もある。従ってクリック音を含む触覚的フィードバックも向上する。
【００６８】
上述の実施態様ではフラップ２７は、容器２の内方前壁６ａに形成され、蓋の前壁１２に形成された段３５と連通するが、当然のことながら本発明はこれに限定されない。
【００６９】
例えば、別の例示的実施態様を図４および５に示す。喫煙品パッケージのこの構成は、上述の実施態様で説明した構成とほぼ同じであり、さらなる詳細な説明は、ここでは省略する。さらに、上述の実施態様で説明した部材および特徴に対応する部材および特徴には同じ参照番号を付してある。
【００７０】
しかしながら、この実施態様ではフラップ２７は、容器部２の内方前壁６ａの上縁部２０から延びている。フラップ２７は、容器の前壁６の上縁部２０に沿って延びている折り曲げ線４５を中心に折り曲げ可能であり、図４には容器の前壁６上に折り曲げられて示されており、フラップが容器の前壁６の面２９上を下方に延びている。へこみ４６またはスリットがフラップ２７に形成されており、フラップ２７の自由縁部３２から延びて、フラップ２７の外方端部３０を２つの別個のタブエレメント４７、４８に分割している。フラップ２７は、硬質な弾性材料から形成されているので、変形可能になっており、従って２つのタブエレメントは、互いに独立して弾性変形することができる。折り曲げ線４５は、フラップ２７を容易に折り曲げられるようにミシン目線として構成されており、フラップは、容器の前壁６の面２９から鋭角に延びている。この実施態様ではフラップ２７は、へこみまたはスリットによって切れ込みが入れられている、または分けられているが、当然のことながら別の実施態様ではフラップ２７は、へこみまたはスリットがなくてもよい。
【００７１】
従ってフラップ２７は、内方前壁６ａの上縁部２０に配置されているので、凹部２４の下方縁部２５より上縁部２０に近く位置する。従って蓋が閉じる位置に移動すると、蓋の前壁１２は、フラップ２７と重なり、フラップ２７は、蓋の前壁１２と当接し、凹部２４が前壁に形成されているので、凹部２４の長さは最大になり、喫煙品収容スペース４から喫煙品を取り出しやすくなる。
【００７２】
この例示的な実施態様では段３５は、２つの縁部４９、５０を有し、これらは互いにオフセットしており、これら段の縁部の内１つの縁部４９が、もう一方の縁部５０より蓋の前壁１２の下方端部５１の近くに位置するように配されている。段の２つの縁部４９、５０は互いに平行に互いに離れて延びている。
【００７３】
フラップ２７が容器の前壁６から延び、段３５と位置合わせされ、これと接して位置するようになっており、２つのタブエレメント４７、４８は、それぞれ蓋３が閉じる位置に移動すると、対応する段の縁部４９、５０の１つの上に位置するように位置合わせされる。従って蓋３が閉じる位置に移動すると、タブエレメント４７の１つが対応する段の縁部４９上に位置し、蓋の前壁１２の下位部分３８の方へと弾性によって付勢され、これと衝突し、第１の可聴クリック音を発生させる。
【００７４】
それからもう一方のタブエレメント４８が、蓋３がさらに閉じる位置に移動すると、もう一方の段の縁部５０上に位置し、蓋の前壁１２の下位部分３８の方へと弾性によって付勢され、これと衝突し、第２の可聴クリック音を発生させる。その後蓋３は、その閉鎖位置に位置する。
【００７５】
当然のことながら、発生させる可聴クリック音の数は、蓋の前壁１２に１つ以上の追加の段を設けることによって変えてもよい。さらに当然のことながら、発生させる可聴音の数は、フラップのタブエレメントの数および長さとともに対応する段の縁部の数および長さを変えることによって変えてもよい。
【００７６】
上述の実施態様ではパッケージ１は、外方フレーム１８および内方フレーム１９を含むが、当然のことながら本発明はこれに限定されず、パッケージを種々の構成の複数のフレームから形成してもよい。
【００７７】
さらに例示的な実施態様を図６および７に示す。この喫煙品用パッケージの構成は、上述の実施態様で説明した構成とほぼ同じであり、さらなる詳細な説明は、ここでは省略する。さらに、上述の実施態様で説明した部材および特徴に対応する部材および特徴には同じ参照番号を付してある。
【００７８】
この例示的な実施態様では凹部２４は、隣接する容器の側壁８内に延びており、側壁８の上方の縁部５３が凹部２４の下方縁部２５によって形成されるようになっている。従って凹部２４は、容器の前壁６と容器の側壁８の１つに形成されている。この構成によって、蓋３が開いた位置にあるとき、ユーザーは、喫煙品収容スペース４から喫煙品を容易に取り出すことができる。特にこの構成により、密に詰められた紙巻きタバコの束から１本目の紙巻きタバコが取り出しやすくなっている。密に詰められた紙巻きタバコの束から最初の１本の紙巻きタバコを取り出すのは困難であるが、２つの容器の壁に凹部を延ばして紙巻きタバコの両側から取り出せるようにすることによって、ユーザーは、紙巻きタバコをより掴みやすくなり、取り出す際に力を加えることができる。
【００７９】
凹部２４が形成されている側壁８の上縁部５３は、内方側壁８ａによって形成され、上縁部５３は、外方側壁８ｂの上端１７から離れて位置し、蓋の側壁１４は、その長さに沿って容器の側壁８の一部と重なり、喫煙品収容スペース４とパッケージの外側との間に隙間が形成れなくなる。上述の実施態様では係止フラップ２７が設けられているが、当然のことながらフラップを省略して、別の係止手段を設けてもよい。さらに内方フレームを外方フレームと一体に形成してもよい。
【００８０】
上述の実施態様ではパッケージ１は、外方フレーム１８および内方フレーム１９を含むが、当然のことながら本発明はこれに限定されず、パッケージを種々の構成の複数のフレームから形成してもよい。
【００８１】
上述の実施態様においてフラップは、容器の前壁の上縁部２０から延びるように形成されているが、当然のことながら他の構成も可能であり、例えばフラップを容器部２の前壁に切り込み線を設けて形成してもよい。
【００８２】
上述の実施態様において１つの凹部がフラップの一方の側に形成されているが、当然のことながら別の実施態様では前壁の上縁部から延びた第２の凹部を設けて、フラップがこれら２つの凹部の間に配されるようにしてもよい。
【００８３】
別の形態のパッケージを図８および９に示す。参照符号は、同じ要素については上述の実施態様のものをそのまま使用している。この喫煙品パッケージの構成は、上述の実施態様で説明した構成とほぼ同じであり、よって詳細な説明は、ここでは省略する。
【００８４】
図８および９に示すパッケージは、外方フレーム１８および内方フレーム１９を含む。外方フレーム１８は、蓋３と容器部２の一部を含み、内方フレーム１９は、容器２の一部を形成している。容器の前壁６は、内方前壁６ａおよび外方前壁６ｂを含む。同様に容器の２つの側壁８は、対応する内方側壁８ａおよび外方側壁８ｂを含む。内方前壁６ａは、外方前壁６ｂの上端１６から延びている。同様に２つの内方側壁８ａは、対応する外方側壁８ｂの上端１７から延びている。容器の後壁７は、内方後壁７ａおよび外方前壁７ｂを含む。内方後壁７ａは、外方後壁７ｂの上端から延びている。容器２の閉じた端部９は、容器の前壁６、後壁７および側壁８の下方部分から延びている。
【００８５】
図８に示すように蓋２が閉じた位置にあるとき、蓋の前壁１２は、容器の前壁６の内方前壁６ａと実質的に隣接して位置し、これと重なり、２つの蓋の側壁１４は、容器の対応する側壁８の内方側壁８ａに隣接し、これと重なる。蓋の後壁１３は、実質的に容器の後壁７の内方後壁７ａと隣接して位置し、これと重なる。蓋３の端部１５が蓋の前壁１２、後壁１３および側壁１４の上端の間を延びている。
【００８６】
内方フレーム１９は、内方前壁６ａ、内方側壁８ａおよび内方後壁７ａで形成されている。内方フレーム１９は、外方前壁６ｂ、外方側壁８ｂ、外方後壁７ｂの上端からこれらの周囲を延びている。内方側壁８ａは、内方前壁６ａの縁部から対向して延びている。内方後壁７ａは、２つの後部セクション５４から形成されている。２つの後部セクション５４は、それぞれ内方側壁８ａの後方縁部から延びている。後部セクションの自由端部５５は、内方フレーム１９が外方フレーム１８内に配されると、互いの方に延びる。内方後壁７ａを形成する２つの後方セクション５４は、各内方側壁８ａの後方端部を支持する。従って内方フレーム１９、特に内方側壁８ａの剛性がこれによって高まる。
【００８７】
容器の各側壁８は、２つの部分、前方部分５６と後方部分５７を有する。各容器の側壁８の後方部分５７は、容器の各側壁８の前方部分５６に対して角度を付けて延びている。各側壁８の前方部分５６および後方部分５７は、折り曲げ線によって分けられている。各側壁８の前方部分５６は、容器２の前壁６と対応する後方部分５７との間を延びている。各側壁８の後方部分５７は、対応する前方部分５６と容器２の後壁７との間を延びている。同様に蓋の各側壁１４は、２つの部分、前方部分５８と後方部分５９を有する。蓋の各側壁１４の蓋の後方部分５９は、蓋の各側壁１４の前方部分５８に対して角度を付けて延びている。各側壁１４の前方部分５８および後方部分５９は、折り曲げ線によって分けられている。蓋の各側壁１４の前方部分５８は、蓋の前壁１２と対応する蓋の後方部分５９との間を延びている。蓋の各側壁１４の後方部分５９は、対応する蓋の前方部分５８と蓋の後壁１３の間を延びている。
【００８８】
容器２の閉じた端部９と蓋３の端部１５は、それぞれ六角形状を有するように形成されている。内方フレーム１９は、容器の側壁８の内方前方部分５６ａと後方部分５７ａを有するように形成されている。内方前方部分５６ａと後方部分５７ａは、対応する外方前方部分５６ｂおよび後方部分５７ｂの上端から延びている。図８に示すように蓋２が閉じた位置にあるとき、蓋の前方部分５８および後方部分５９は、容器の側壁８の対応する内方前方部分５６ａおよび後方部分５７ａに隣接して位置し、これらと重なる。
【００８９】
凹部２４が内方容器の各側壁８ａに形成されている。内方容器の側壁８ａは、上縁部２２を有する。凹部２４は、内方前方部分５６ａと後方部分５７ａに延びている。各凹部２４は、内方前壁６ａの上縁部２０から内方後壁７ａの上縁部へと下方に角度をつけて延びている。凹部２４は、Ｖ字形状である。しかしながら、当然のことながら別の実施態様において、凹部２４は別の形状であってもよい。さらにこれとは別の構成では、凹部を内方容器の側壁８ａの１つだけに形成してもよい。各凹部２４は、下方縁部２５を有する。
【００９０】
フラップ２７が容器部２の内方前壁６ａの上縁部２０から延びている。従ってフラップ２７は、内方フレーム１９から延びている。フラップ２７は、内方前壁６ａの上縁部２０に沿って延びている折り曲げ線２８を中心に折り曲げ可能であり、図９では内方前壁６ａ上に折り曲げられて示されており、内方前壁６ａの面２９を下方に延びている。この実施態様ではフラップ２７は、へこみ４６またはスリットによって切れ込みが入れられている、または分けられているが、当然のことながら別の実施態様ではフラップ２７は、へこみまたはスリットを有するものではない。
【００９１】
凹部が容器部２の側壁に形成されることの利点の１つは、フラップ２７が実質的に容器部２の前壁６の幅に沿って延びることができるということである。
【００９２】
フラップ２７は、凹部２４の下方縁部２５の上を延びている。従って、蓋がその閉じる位置に移動すると、蓋の前壁１２は、フラップ２７と重なり、フラップ２７は、蓋の前壁１２に当接する。
【００９３】
このパッケージは、上述の実施態様で説明したのとほぼ同じ方法で操作可能である。従って蓋３がその閉じる位置に移動するとき、フラップ２７は、対応する段の縁部上に位置し、蓋３が閉じるまで、可聴クリック音を発する。
【００９４】
当然のことながら発生させる可聴クリック音の数は、蓋の前壁１２に異なる数の段を設けることによって変えてもよい。さらに当然のことながら発生させる可聴音の数は、フラップのタブエレメントの数および長さとともに対応する段の縁部の数および長さを変更することによって変えることができる。
【００９５】
蓋３がその開く位置に移動すると、ユーザーは内方フレーム１９に形成された凹部を介して喫煙品を取り出すことができる。
【００９６】
別の形態のパッケージを図１０に示す。参照符号は、同じ要素に対しては上述の実施態様のものをそのまま使用している。この喫煙品パッケージの構成は、上述の実施態様で説明した構成とほぼ同じであり、よって詳細な説明は、ここでは省略する。
【００９７】
図１０に示すパッケージは、外方フレーム１８と内方フレーム１９を有する。外方フレーム１８は、蓋３および容器部２の一部を含み、内方フレーム１９は、容器２の一部を形成する。容器の前壁６は、内方前壁６ａと外方前壁６ｂを含む。同様に容器の２つの側壁８は、対応する内方側壁８ａと外方側壁８ｂを含む。内方前壁６ａは、外方前壁６ｂの上端１６から延びている。同様に２つの内方側壁８ａは、対応する外方側壁８ｂの上端１７から延びている。容器の後壁７は、内方後壁７ａと外方前壁７ｂを含む。内方後壁７ａは、外方後壁７ｂの上端から延びている。容器２の閉じた端部９は、容器前壁６、後壁７および側壁８の下方部分からから延びている。
【００９８】
蓋２が閉じた位置にあるとき、蓋の前壁１２は、容器の前壁６の内方前壁６ａと実質的に隣接して位置し、これと重なり、蓋の２つの側壁１４は、容器の側壁８の対応する内方側壁８ａに隣接して位置し、これらと重なる。蓋の後壁１３は、容器の後壁７の内方後壁７ａと実質的に隣接して位置し、これと重なる。蓋３の端部１５は、蓋の前壁１２、後壁１３および側壁１４の上端の間を延びている。
【００９９】
内方フレーム１９は、内方前壁６ａ、内方側壁８ａおよび内方後壁７ａによって形成されている。内方フレーム１９は、外方前壁６ｂ、外方側壁８ｂおよび外方後壁７ｂの上端からその周りを延びている。内方側壁８ａは、内方前壁６ａの縁部から延びている。内方後壁７ａは、２つの後部セクション５４から形成されている。２つの後部セクション５４は、それぞれ内方側壁８ａの後方縁部から延びている。後部セクション５４の自由端部５５は、内方フレーム１９が外方フレーム１８内に配されると、互いの方に延びる。内方後壁７ａを形成する２つの後方セクション５４は、内方側壁８ａを支持する。従って内方フレーム１９、特に内方側壁８ａの剛性は、高められる。切り欠きが内方後壁７ａに形成され、蓋３が開いた位置にあるとき、容器部から喫煙品を取り出しやすくしている。
【０１００】
容器の各側壁８は、容器２の前壁６と容器２の後壁７の間を延びている。容器の各側壁８は弓状であり、半円状の外形を有する。容器２の前壁６は、容器の各側壁８と接平面で交わっている。同様に容器２の後壁７は、容器の各側壁８と接平面で交わっている。同様に蓋の各側壁１４は、蓋の前壁１２と蓋の後壁１３の間を延びている。蓋の各側壁１４は、弓状であり、半円状の外形を有する。蓋の前壁１２は、蓋の各側壁１４と接平面で交わっている。同様に蓋の後壁１３は、蓋の各側壁１４と接平面で交わっている。
【０１０１】
蓋２が閉じた位置にあるとき、蓋の側壁１４の弓状の内面は、容器２の内方側壁８ａの対応する弓状の外方面と隣接して位置し、これと重なる。
【０１０２】
凹部２４は、内方容器の各側壁８ａに形成されている。凹部２４は内方容器の側壁８ａに延びている。各凹部２４は、弓状の下方縁部２５を有するが、これとは別の形状凹部を使用してもよい。各凹部２４は、内方前壁６ａの上縁部２０と内方後壁７ａの上縁部の間を下方に延びている。別の構成では凹部を内方容器の側壁８ａの１つだけに形成してもよい。
【０１０３】
フラップ２７は、容器部２の内方前壁６ａの上縁部２０から延びている。従ってフラップ２７は、内方フレーム１９から延びている。フラップ２７は、内方前壁６ａの上縁部２０に沿って延びている折り曲げ線２８を中心に折り曲げ可能である。へこみまたはスリットによって切れ込みが入れられている、または分けられているが、当然のことながら別の実施態様ではフラップ２７は、へこみまたはスリットを設けなくてもよい。
【０１０４】
凹部が容器部２の側壁に形成されることの利点の１つは、フラップ２７が実質的に容器部２の前壁６の幅に沿って延びることができるということである。フラップ２７は、凹部２４の下方縁部２５の上を延びている。従って、蓋が閉じる位置に移動すると、蓋の前壁１２は、フラップ２７と重なり、フラップ２７は、蓋の前壁１２に当接する。
【０１０５】
このパッケージは、上述の実施態様で説明したのとほぼ同じ方法で操作可能である。従って蓋３がその閉じる位置に移動すると、フラップ２７は、対応する段の縁部上に位置し、蓋３が閉じるまで、可聴クリック音を発する。
【０１０６】
当然のことながら発生させる可聴クリック音の数は、蓋の前壁１２に異なる数の段を設けることによって変えてもよい。さらに当然のことながら発生させる可聴音の数は、フラップのタブエレメントの数および長さとともに対応する段の縁部の数および長さを変更することによって変えることができる。
【０１０７】
蓋３が開く位置に移動すると、ユーザーは内方フレーム１９に形成された凹部を介して喫煙品を取り出すことができる。
【０１０８】
上述の実施態様ではフラップは、内方フレームから延び、凹部もまた内方フレームから延びているが、当然のことながら別の構成も可能である。例えば、別の構成ではフラップが外方フレームを形成し、凹部を内方フレームに形成してもよい。さらに内方フレームを外方フレームに対してスライド可能にしてもよい。
【０１０９】
さらに別の例示的な実施態様を図１１および１２に示す。喫煙品用パッケージのこの構成は、上述の実施態様で説明した構成とほぼ同じであり、さらなる詳細な説明は、ここでは省略する。さらに、上述の実施態様で説明した部材および特徴に対応する部材および特徴には同じ参照番号を付してある。
【０１１０】
図１１および１２に示す例示的な実施態様では喫煙品用パッケージは、喫煙品（図示せず）を包んだバリアー層によって形成された封止された包装体６０をさらに含む。封止された包装体６０の中の喫煙品を取り出すことができるようにする開口部６２を図１１の破線で表している。封止された包装体６０に形成された開口部６２は、包装体６０の上面６３を横断して、前方縁部６４へとそして前方縁部６４から下方に包装体６０の前面の一部にまで延びている。喫煙品を包むバリアー層は、例えば金属化プラスチックまたはプラスチック/金属箔ラミネートで作製してもよい。薄層が開口部６２上を封止ラベル６５の形態で配されており、これはバリアー層に近いその下面に永久粘着剤を有する。永久粘着剤は、封止ラベル６５が開口部６２の開封可能な縁部６７を越えた境界６６で延びている箇所に存在する。
【０１１１】
タブ６８が封止ラベルの下方縁部６９から延びており、これをユーザーが掴んで、引っ張ることによって開口部６２を露出させる。タブ６８には永久粘着剤は塗布されていない。最初に使用する場合、開口部６２の開封可能な縁部６７がバリアー材の薄化された線または実線で形成して、開口部を開口しやすくしてもよい。その後ユーザーは、開口部６２を介してパッケージから紙巻きタバコを自由に取り出し、そうした後、タブを元に戻して開口部を再封止し、境界６６は、バリアー層材の隣接する部分に再度接着する。
【０１１２】
確実により効率的な接着を可能にするために第２内方フレーム（図示せず）を封止された包装体に配し、閉じる際にユーザーによって加えられる再封止圧力に対してバリア層の下側の反応面が供される。
【０１１３】
図１１および１２に示すこの実施態様では、容器部２の前壁６は、それに形成された凹部７０を有する。凹部７０は、前壁６の上縁部２０から延び、前壁６の上縁部２０と平行にこれから離れて延びている下方縁部７２を有する。
【０１１４】
凹部７０の下方縁部７２は、容器の外方前壁６ｂの上端１６から離れて位置し、蓋の前壁１２が、蓋が閉じた位置にあるときに容器の前壁６とその全幅に沿って重なるようになっている。
【０１１５】
係止エレメントとして機能するフラップ７３が、凹部７０の下方縁部７２から延びている。フラップ７３は、ミシン目線として構成された折り曲げ線７４を中心に折り曲げ可能となっており、凹部７０の下方縁部７２に沿って延びているフラップ７３を折り曲げやすくなっており、フラップ７３は、容器の前壁６の面２９上を下方に延びる。フラップ７３は、硬質な弾性材料から形成され、変形可能になっており、容器の前壁６の面２９から鋭角に延びている。フラップ７３の自由端部７５は、折り曲げ線７４から離れて位置し、自由縁部７６を有している。
【０１１６】
係止部として機能する段７７が、蓋３の前壁１２の内面３６に形成されている。段７７は、蓋の前壁１２の内面３６を上位部分３７と下位部分３８とに分割している。
【０１１７】
フラップ７３は、容器の前壁６から延びるように構成され、蓋３が閉じる位置に移動すると、蓋の前壁１２の内面３６の段７７と位置合わせされ、その段の上に位置する。係止エレメントとして機能するフラップ２７と係止部として機能する段３５は、ともに蓋３を閉じた位置に保持する係止機構を形成する。
【０１１８】
封止ラベル６５の下方縁部６９は、凹部７０の下方縁部７２の近くを延びている。タブ６８が封止ラベル６５の下方縁部６９から延び、このタブは、ユーザーが掴んで引っ張ることによって開口部６２を露出させ、封止された包装体６０の中の喫煙品を取り出すことができるようになっている。タブ６８は、ヒンジ線７８を中心にヒンジ式に取り付けられている。タブ６８は、凹部７０の下方縁部７２と重なり、フラップ７３に接して位置し、タブ６８の部分がフラップ７３の両側に延びている。
【０１１９】
タブ６８の自由端部７９は、フラップ７３と当接するが、フラップ７３の自由端部７５まで延びてなく、これにより蓋が閉じる位置に移動するとき、フラップ７３の自由縁部７６が蓋３の段７７上に位置し、これと係合する。
【０１２０】
タブ６８は、フラップ７３によって容器部２の前壁６から離れるように付勢され、これにより空間がタブ６８と前壁６の間に形成される。従ってユーザーがタブ６８を掴みやすくなり、これを封止ラベル６５を引っ張ってパッケージを開封するために使用することができる。
【０１２１】
フラップ７３が蓋の段上に位置せず、これと係合しない別の構成において、タブ６８の自由端部７９がフラップ７３に亘って延びている。従ってフラップ７３は、タブ６８の後ろに格納され、ユーザーには見えなくなる。さらに、タブの長さを伸ばして、より簡単にユーザーがタブ６８を把持することができるようになる。
【０１２２】
上述の実施態様ではフラップが凹部の下方縁部から延びているが、当然のことながら別の実施態様では容器部は、凹部を有さず、フラップは、容器の前壁の上縁部から延びる。
【０１２３】
上述の実施態様ではフラップと段は、容器部および蓋の前壁にそれぞれ形成されているが、当然のことながらフラップを蓋に、段を容器部に形成してもよい。さらに当然のことながらフラップと段を容器部の側壁と蓋に形成してもよい。
【０１２４】
本発明の実施態様を示し、説明してきたが、当業者には当然のことながら以下の特許請求の範囲に定義されている本発明の範囲内で上記の例示的な実施態様を変更することは可能である。
【先行技術文献】
【特許文献】
【０１２５】
【特許文献１】英国特許第１４３１１７３号明細書
【図１】
0005799114.tif 000002
【図２】
0005799114.tif 000003
【図３】
0005799114.tif 000004
【図４】
0005799114.tif 000005
【図５】
0005799114.tif 000006
【図６】
0005799114.tif 000007
【図７】
0005799114.tif 000008
【図８】
0005799114.tif 000009
【図９】
0005799114.tif 000010
【図１０】
0005799114.tif 000011
【図１１】
0005799114.tif 000012
【図１２】
0005799114.tif 000013